(57)【要約】【課題】近地無線通信によりヘッドセット等の外部アダプタと接続可能な携帯電話装置においては、たとえ基地局との間で回線が確立されていても、近地無線通信において通信障害が発生すれば通話先との間で通話が出来ないばかりでなく、通話先は回線を切断すれば良いのかの判断が出来ず長時間拘束される虞があった。【解決手段】携帯電話装置の制御部が近地無線通信の回線品質の状況を監視し、一定の品質を下回り携帯電話装置と外部アダプタとの通信が困難になったら、その旨及び要件の記録を行う旨通話先に通知することで不要な発呼を削減するだけでなく、要件を記録することで通話先をむやみに拘束しないことを可能にする。【選択図】      図２
2004312274.tif 000002
【特許請求の範囲】
【請求項１】
外部アダプタとの間で近地無線通信を行い、無線基地局との間で遠距離無線通信を行う携帯電話装置であって、
前記基地局との遠距離無線通信を行う遠距離無線通信部と、前記外部アダプタとの近地無線通信を行う近地無線通信部と、
制御部を含み、
前記遠距離無線通信中に前記制御部は前記近地無線通信の回線品質を監視することを特徴とする携帯電話装置。
【請求項２】
前記近地無線通信の回線品質が一定の基準以下に低下すると前記制御部は前記遠距離無線通信部を介して基地局に対しガイダンスデータを送信した後、前記制御部が基地局から送信されるデータを記録することを特徴とする請求項１記載の携帯電話装置。
【請求項３】
前記基地局からの終了処理によって前記制御部が前記基地局から送信されるデータの記録を終了することを特徴とする請求項２記載の携帯電話装置。
【請求項４】
前記基地局から送信されるデータの記録を行うことが出来なくなるとデータの記録を終了することを特徴とする請求項２もしくは３記載の携帯電話装置。
【請求項５】
前記データの記録の終了後、前記遠距離無線通信部を介して前記基地局に対して記録データの再生を基地局経由で通話先に促し、通話先が再生要求を希望すると制御部が判断すれば、前記遠距離無線通信部が前記記録したデータを前記通話先送信することを特徴とする請求項３若しくは４記載の携帯電話装置。
【請求項６】
アダプタ制御部と、
携帯電話装置との近地無線通信を行う近地無線通信部と、
操作者からの操作を受け付ける操作部を含み、
前記携帯電話装置と基地局とが通信中に、前記アダプタ制御部は前記近地無線通信の回線品質を監視することを特徴とする外部アダプタ。
【請求項７】
前記近地無線通信の回線品質が一定の基準以下に低下すると、前記操作部の動作に応じて、前記アダプタ制御部が前記近地無線通信の回線を切断し、前記携帯電話装置との間で新たに前記近地無線通信の回線を接続することを特徴とする請求項６記載の外部アダプタ。
【請求項８】
前記近地無線通信の回線品質が一定の基準以下に低下すると、前記操作部の動作に応じて、前記アダプタ制御部は前記近地無線通信の回線を切断し、新たに前記近地無線通信の回線の接続を前記携帯電話装置に行うことを要求すること特徴とする請求項６記載の外部アダプタ。
【請求項９】
前記近地無線通信の回線品質が一定の基準以下に低下した状態が一定期間継続すると、前記アダプタ制御部は前記近地無線通信の回線を切断し、新たに前記近地無線通信の回線の接続をすることを特徴とする請求項６記載の外部アダプタ。
【請求項１０】
前記近地無線通信の回線品質が一定の基準以下に低下した状態が一定期間継続すると、前記アダプタ制御部は前記近地無線通信の回線を切断し、新たに近地無線通信の回線の接続を前記携帯電話装置に行うことを要求することを特徴とする請求項６記載の外部アダプタ。
【請求項１１】
前記近地無線通信の回線品質とはＢＥＲを意味する請求項１乃至５のいずれか一に記載の携帯電話装置。
【請求項１２】
前記近地無線通信の回線品質とはＳＩＲを意味する請求項１乃至５のいずれか一に記載の携帯電話装置。
【請求項１３】
前記近地無線通信の回線品質とはＢＥＲを意味する請求項６乃至１０のいずれか一に記載の外部アダプタ。
【請求項１４】
前記近地無線通信の回線品質とはＳＩＲを意味する請求項６乃至１０のいずれか一に記載の外部アダプタ。
【発明の詳細な説明】
【０００１】
【発明の属する技術分野】
本発明はヘッドセット等の外部アダプタとの接続を無線通信で行う携帯電話装置における対ヘッドセットとの通信品質の変化に伴う制御に関する。
【０００２】
【従来の技術】
携帯電話装置はその名の通り「携帯」に適した小型軽量の情報通信端末の一種である。近年は電子メールやＷｅｂブラウザの機能を取りこむことやデータ通信の普及により高度情報端末の中心たる地位を不動のものとしているが、その本質的機能たる音声通話の重要性は不変である。
【０００３】
しかし、携帯電話装置の軽量小型化の進展で、通話時の操作性は年々低下している。即ち、携帯電話機本体の筐体の小型化に伴うホールディング性やマイクとスピーカの接近等はその最たるものである。また、カメラや背面液晶の追加はホールディング性の低下に拍車をかける。
【０００４】
この解決策としては、マイク及びスピーカを一体としたヘッドセットを用いる方法が一般的である。携帯電話装置とは別に用意されたヘッドセットを携帯電話装置と有線で接続し、ヘッドセットのマイクとスピーカで通話することで携帯電話装置を手で持つ必要を無くし、またマイクとスピーカの距離をある程度保つことが出来る為である。
【０００５】
ただ、この解決策にも新たな問題が起きた。即ち、「有線」であることにより、操作者の行動範囲が制限され、携帯電話装置のメリットがスポイルされてしまうことである。
【０００６】
これを鑑み、有線で行っていたヘッドセット・携帯電話装置間の通信をＢｌｕｅＴｏｏｔｈや無線ＬＡＮといった近地無線通信の技術に起きかえることで上記問題解決を図ることが提案されている。部品価格が現時点では高価なものの、現時点では利用についての技術的な問題はほぼ解決されたと言って良い。
【０００７】
しかし、新たなる問題も生じている。近地無線通信が、携帯電話本体の障害や近地通信回線の問題により携帯電話装置・ヘッドセット間の回線品質が低下し、結果、基地局との通話も困難になると言う問題である。掛かる場合には基地局側での回線切断処理等を期待することは出来ず、端末側で何らかの対応を取る必要がある。
【０００８】
特開２００２−０３３８２４号では、携帯電話装置本体のバッテリ残量を検知し、予め決められた閾値を下まわる場合には、データの安全な部分にて通信を終わらせる旨開示されている。
【０００９】
【特許文献１】
特開２００２−０３３８２４号（段落（００４３）―（００４５））
【００１０】
【発明が解決しようとする課題】
しかし、特開２００２−０３３８２４号記載の発明では携帯電話装置本体の電源を参照しているのみに過ぎず、従って、ヘッドセット・携帯電話装置間の近地無線通信の回線品質低下に対応できるものではなかった。また、ヘッドセットも独自で電池を有して動作しているが、ヘッドセット側の電池残量が低下した際の取り扱いについても特開２００２−０３３８２４号記載の発明では考慮されていなかった。
【００１１】
本発明は、かかる近地無線通信における品質障害に対して、携帯電話装置と基地局間での回線切断を安全かつユーザーにストレスを感じない手段により提供するものである。
【００１２】
【課題を解決するための手段】
本発明に係る携帯電話装置は外部アダプタとの間で近地無線通信を行い、無線基地局との間で遠距離無線通信を行い、前記携帯電話装置は携帯電話装置を制御する制御部と、前記遠距離無線通信に関する変復調処理及び前記基地局との物理的な通信を行う遠距離無線通信部と、前記近地無線通信に関する変復調処理及び前記外部アダプタとの物理的な通信を行う近地無線通信部を含み、前記遠距離無線通信中に前記制御部は前記近地無線通信の回線品質を監視することを特徴とする。
【００１３】
また、前記近地無線通信の回線品質が一定の基準以下に低下すると前記制御部は前記遠距離無線通信部を介して基地局に対しガイダンスデータを送信した後、前記制御部が基地局から送信されるデータの記録を開始することを特徴とする。
【００１４】
前記基地局からの終了処理によって前記制御部が前記基地局から送信されるデータの記録を終了することを特徴とする。
【００１５】
前記基地局から送信されるデータの記録を行うことが出来なくなるとデータの記録を終了することを特徴とする。
【００１６】
前記データの記録の終了後、前記遠距離無線通信部を介して前記基地局に対して記録データの再生を基地局経由で通話先に促し、通話先が再生要求を希望すると制御部が判断すれば、制御部が再生を行うことを特徴とする。
【００１７】
前記外部アダプタは、前記外部アダプタの制御を行うアダプタ制御部と近地無線通信に関する変復調及び前記携帯電話装置との物理的通信を行う近地無線通信部、及び操作者からの操作を受け付ける操作部を含み、
前記遠距離無線通信中に前記アダプタ制御部は前記近地無線通信の回線品質を監視することを特徴とする。
【００１８】
前記近地無線通信の回線品質が一定の基準以下に低下すると、操作部の動作に応じて、前記アダプタ制御部は前記近地無線通信の回線を切断し、新たに近地無線通信の回線を接続することを特徴とする。
【００１９】
前記近地無線通信の回線品質が一定の基準以下に低下すると、操作部の動作に応じて、前記アダプタ制御部は前記近地無線通信の回線を切断し、新たに近地無線通信の回線の接続を前記携帯電話装置に試行することを要求すること特徴とする。
【００２０】
前記近地無線通信の回線品質が一定の基準以下に低下した状態が一定期間継続すると、前記アダプタ制御部は前記近地無線通信の回線を切断し、新たに近地無線通信の回線の接続を試行することを特徴とする。
【００２１】
前記近地無線通信の回線品質が一定の基準以下に低下した状態が一定期間継続すると、前記アダプタ制御部は前記近地無線通信の回線を切断し、新たに近地無線通信の回線の接続を前記携帯電話装置に試行することを要求すること特徴とする。
【００２２】
前記近地無線通信の回線品質とはＢＥＲ（ビットエラーレート）を意味、もしくは、ＳＩＲ（シグナル・インターフェアレンスレート）を意味する。
【００２３】
【発明の実施の形態】
図１は本発明の実施の形態を示すブロック図である。
【００２４】
携帯電話装置１は、基地局２との間で遠距離無線通信を行うと同時に近地無線通信によってヘッドセット３とも接続されている。なお本図においては、電源やオシレータ、携帯電話装置１側の表示部等の公知かつ不可欠な部品で、本発明には直接関係しないものは省略している。
【００２５】
携帯電話装置１はアンテナ１１、無線送受信部１２、制御部１３、外部インターフェイス部１６、イヤフォンジャック１７、近地通信部１８、スピーカ１９、マイク２０、バス２１及び操作部２２から構成されている。更に、制御部１３はＣＰＵ１４、記憶部１５を含む。
【００２６】
遠距離無線通信部である無線送受信部１２は、アンテナ１１を介して基地局２との間で送受信を行う。また、送信するデータ（送信データ）の変調、受信したデータ（受信データ）の復調と言った送受信に前後する予備的な処理を行う部分も含むものとする。
【００２７】
制御部１３はＣＰＵ１４、記憶部１５を含むが、これだけには限定されない。また、記憶部１５は複数の種類の記録素子（ＲＡＭやＲＯＭ等）から構成されていても良い。無線部の処理とアプリケーションの処理を行う目的毎にＣＰＵ１４等は複数内包しても良いが、本書においては一つで表現する。
【００２８】
ＣＰＵ１４は制御部１３の中核をなす部分であり、記憶部１５をワークエリアとしてデータの処理等を行う。本発明における記憶部１５は一般的なＲＡＭ（ランダムアクセスメモリ）及び不揮発メモリたるＲＯＭ（リードオンリーメモリ）などからなり、動的な記憶及び静的な記憶双方をつかさどるものとする。なお、ＣＰＵ１４の代わりにＤＳＰ（デジタルシグナルプロセッサ）等を用いても処理しても良い。
【００２９】
外部インターフェイス部１６はヘッドセット３や他の外部接続機器との間で行う通信についての論理的・物理的な処理を行う箇所である。ＯＳＩの７階層モデルで言えば、データリンク層・ネットワーク層の処理が主となるはずではあるが、これに制限されるものではない。
【００３０】
イヤフォンジャック１７は図示しないイヤフォンと有線通信を行う為の物理コネクタである。
【００３１】
近地通信部１８はヘッドセット３に内包される近地通信部３２との間で通信を行う部分である。近地無線通信でも通信の為の変復調・情報保護の観点による暗号化を行う必要があり、かかる処理を近地通信部１８が行う。
【００３２】
スピーカ１９は無線送受信部１２が復調し制御部１３によって出力可能となった音声データを出力する為のデバイスである。
【００３３】
マイク２０は操作者の声を集音し、ＣＰＵ１４に対してデータを送信する。
【００３４】
バス２１はＣＰＵ１４他各回路がデータをやり取りするための伝送路である。
【００３５】
操作部２２は発呼時のダイヤルやメール送信時の編集に用いられるユーザとのインターフェイスを取る為のデバイス群であり、キーやタッチパッド、ポインターなどから構成される。
【００３６】
ヘッドセット３は、制御部３１、近地通信部３２、スピーカ３３、マイク３４、内部バス３５より構成されている。
【００３７】
制御部（アダプタ制御部）３１は携帯電話装置１のそれと異なり、備えるべき機能は極めて限定されている。従って、ＤＳＰ（デジタルシグナルプロセッサ）のような比較的単機能な処理手段のみで対応することが望ましい。
【００３８】
近地通信部３２は携帯電話装置１の近地通信部１８との間で通信を行う回路である。送受信やそれに伴う変復調や暗号化が主な処理となる。
【００３９】
スピーカ３３及びマイク３４は従来の携帯電話装置及び携帯電話装置１と同様のものである。
【００４０】
操作部３６はヘッドセット３に対していくつかの動作を行う為の複数のボタン等から構成されている。通常、操作部３６は操作部２２よりも構成される部品点数は少ない。操作者は音量の上下等に操作部３６を用いるが、本発明では近地無線通信の回復にも操作部３６を用いる。
【００４１】
なお、携帯電話装置１とヘッドセット３の近地無線通信においては非同期接続と同期接続の双方を使うことが望ましい。また、同期接続として回線交換、パケット交換のいずれを用いるかは設計者の任意である。
【００４２】
更に、図１では携帯電話装置とヘッドセットとで近地通信を行う構成を示したが、必ずしもこれに限られるものではない。例えば、ヘッドセットに代わる外部アダプタの１つとして外部の風景若しくは撮影者自身を撮影するカメラアダプタを利用することも考えられる。その際には外部アダプタたるカメラモジュールで撮像した画像データ及び音声が近地無線通信を用いて携帯電話装置更には基地局に送信される。
【００４３】
図２は本発明に係る携帯情報端末の通信中に近地無線通信で障害が起きた際における携帯電話装置の動作の一例を表すフローチャートである。
【００４４】
基地局との間の遠距離無線通信を開始すると同時に近地無線通信も開始される（ステップＳ１）。近地無線通信が開始されると携帯電話装置１の制御部１３は近地無線通信の通信品質を測定し（ステップＳ２）、その測定値が閾値を越えているか否かを判定する。閾値以上であれば（ステップＳ３：Ｙｅｓ）、再度、制御部１３は近地無線通信の通信品質を測定する。なお、「近地無線通信品質の測定」には、ＢＥＲ（ビットエラーレート）やＳＩＲ（シグナル・インターフェアレンスレート）の識別、音声データに挿入されたパイロット信号の解析率による判別などを用いることが出来るが、本発明においては、特に方式を特定するものではない。また近地無線通信の品質測定周期はどのように設定しても構わない。
【００４５】
一方、閾値以下であれば（ステップＳ３：Ｎｏ）、制御部１３は基地局２を介して通話先に対してガイダンスデータ（音声データ）を発生し、無線送受信部１２を介して送信し（ステップＳ４）、通話先から送られてくるデータ（音声データでも他のデータでも良い）を記憶部１５に対して記録する制御を実行する（ステップＳ５）。記録終了処理（ステップＳ６）もしくは記憶部１５内の記録用エリアを使いきり、記録用容量が終了するまでは（ステップＳ７）、制御部１３は録音を継続する。記録終了処理（ステップＳ６：Ｙｅｓ）、記憶部１５の記録用容量が０（ステップＳ６：Ｙｅｓ）のいずれかとなると、制御部１３が記録したデータの再生の有無を通知する音声データ（再生ガイダンスデータ）を発生し無線送受信部１２から基地局２経由で通話先に送信する（ステップＳ８）。これに対し図示しない相手側の端末のキー入力等によって通話先が再生を選択したら（ステップＳ９：Ｙｅｓ）、記憶部１５に記憶した記録データを無線送受信部１２が変調した後、基地局２を介して通話先に送信する（ステップＳ１０）。通話先が再生を選択しない場合（ステップＳ９：Ｎｏ）若しくは再生処理の終了によって基地局との間の通信を終了する。
【００４６】
なお、記憶部１５へのデータの格納方法は一般的な技術であり、本発明の要部ではないので説明は省略する。また、閾値を切った際に直ぐにガイダンスデータの送信を行わず、一定期間の品質のチェックを行った後に所定の回数以上品質の低下が見うけられた際に、初めてガイダンスデータを送信するようにしても良い。
【００４７】
なお、近地無線通信の回線切断処理はステップＳ８のガイダンスデータの送信後はいつ行っても良いが、処理の付加を考慮すれば可能な限り早めに切断すべきである。
【００４８】
加えて、操作者に対しても現在通話相手先のデータの記録状態になっていることを報知する為に、制御部１３は図示しない表示部の表示や同じく図示しないＬＥＤの発光、スピーカ１９の鳴動による報知を行うべきである。
【００４９】
図２の処理の間、ヘッドセット３は携帯電話装置１と通信できない。制御部（アダプタ制御部）３１が近地無線通信の品質低下を認識する、若しくは、図２には図示しない録音開始に関する信号を携帯電話装置の近地通信部１８から近地通信部３２に発することによって、制御部（アダプタ制御部）３１がスピーカ３３から対処方法についてのガイダンスを流し、操作者に通話先との間で録音処理を行っていることを通知するようにしても良い。なお、「録音開始に関する信号」はステップ４と同時に送信することを前提としているが、近地無線通信の通信状況が改善した後に発しても良い。
【００５０】
なお、ヘッドセット３側の「近地無線通信品質の測定」にはＢＥＲ（ビットエラーレート）やＳＩＲ（シグナル・インターフェアレンスレート）の識別、音声データに挿入されたパイロット信号の解析率による判別などを用いることが出来ることは携帯電話装置１側と同様である。
【００５１】
また上記ではデータとは何であるか記載していないが、一般的な音声には拘らない。例えば、テレビ電話機能を有する携帯電話であって、画像を取り込むカメラが外部アダプタとして携帯電話との間で通信する場合には音声だけでなく動画画像もデータの対象となる。この際、ステップＳ５では録音だけでなく録画も行うこととなるため、記憶部１５の容量は音声のみの録音の場合よりも大きく取る必要があるが、設計事項であるのでここでは省略する。
【００５２】
図３はヘッドセット側から携帯電話装置との間の近地通信回線を復旧する際のフローの一例を記載したシーケンス図である。図２では、一旦録音状態に入ると、再度の近地無線通信回線接続の復旧を図ることを考慮していないが、実際には回線接続を維持し通話を継続することが望ましい。また、携帯電話装置１よりヘッドセット３側の方が早期に品質の低下を感知した場合も考えられる。図３のシーケンス図はこの機能についての処理を表すものである。
【００５３】
近地無線通信回線の接続が維持することが出来なくなり、制御部３１が通話の継続が困難と判断した際には、操作者に対して何がしかの方法（例えばスピーカ３３に警報音を発生させる、図示せぬＬＥＤをヘッドセットに設け発光させる等）で報知する（ステップＳ３０１）。報知を受け取ると操作者は操作部３６に対し所定の操作をすることで音声回線の接続の回復を図る（ステップＳ３０２）。制御部３１が操作部３６の操作を検出すると、まず現在接続されている音声回線を自端末で強制的に放棄する処理を取る（ステップＳ３０３）。現在の音声回線の放棄処理が終わると、制御部３１は放棄した回線を携帯電話装置１側でも破棄し、再度回線の確立を行うよう近地通信部３２を介して制御部１３に対して既存回線接続切断要求を送る。既存回線接続切断要求を受けると携帯電話装置１側の制御部１３も現在接続している音声回線（ヘッドセット側では既に強制的に破棄した回線）を破棄する処理を行う（ステップＳ３０４）。破棄後、携帯電話端末側の制御部１３が再度音声回線を接続するよう処理を行い、制御部１３がヘッドセット３側に改めて回線接続要求を行う。この際、先ほど破棄した回線と異なる周波数帯やチャンネルで近地無線通信回線接続を行うことで品質の改善が期待できる。
【００５４】
回線接続要求を受け取ると、外部アダプタの制御部３１はヘッドセット側の処理を行い、音声回線接続処理が完了すれば（ステップＳ３０５）、音声回線接続要求応答を行い、音声回線が確立される。
【００５５】
掛かる処理フローにすることでヘッドセット側からの回線接続要求を行わせないようにする。このことにより音声回線要求は携帯電話装置側から常に行い、ヘッドセット側では音声回線要求への応答及び強制的な音声回線の破棄機能のみを作りこむことが可能になり、機能の簡略化、内蔵電池の持ち時間の延長、開発期間の短縮が期待できる。
【００５６】
一方ヘッドセット側からの回線接続要求を行えるようにすることで、全体の処理工数を減らし、高速化することも可能である。
【００５７】
なお近地無線通信回線の接続を復旧する際のトリガを、上記実施例では操作者の操作（ステップＳ３０１）としているが、必ずしもこれには拘らない。例えば、一定期間ＢＥＲやＳＩＲの値が閾値を下回っていることを制御部３１が識別すれば、制御部３１がステップＳ３０２以下の処理を行うようにしても良い。
【００５８】
【発明の効果】
上記の構成を取ることにより、以下の効果を発揮する。
【００５９】
即ち、近地無線通信の品質を監視し、基準値より良好であればヘッドセットによる音声通話を継続し、基準値より悪化すれば通話先にその旨通知しメッセージの録音を促し、通話先のコメントを録音することで通話中断後にお互いが掛けなおすことを回避することができる。
【００６０】
また、携帯電話装置との間では回線が確立されているため、通話先はその沈黙が回線切断によるものなのか、それとも操作者が単に黙っているだけなのかを切り分ける手段が無く、したがって、通話先を不用意に長時間拘束することにもなり兼ねなかった。しかし、本発明によって、近地無線通信側の障害が発生した際には、その旨通話先に通知し、希望すればデータを記録する為かかる長時間の拘束は生じ得ない。
【００６１】
また、携帯電話機やヘッドセットを原因としない近地無線通信の障害が生じた際には、その復旧方法を提供することで、近地無線通信の回線接続を可能な限り維持し、同じく操作者の掛け直しを回避する。
【図面の簡単な説明】
【図１】本発明の実施の形態を示すブロック図である。
【図２】図１中の携帯電話装置の通話中に近地無線通信で障害が起きたとき、携帯電話装置が基地局との間でどのような動作を行うかの一例を表すフローチャートである。
【図３】図１中の携帯電話装置の通話中に近地無線通信で障害が起きたとき、携帯電話装置とヘッドセットとの間のやり取りを示すシーケンス図である。
【符号の説明】
１      携帯電話装置
２      基地局
３      ヘッドセット
１１    アンテナ
１２    無線送受信部
１３    制御部
１４  ＣＰＵ
１５    記憶部
１６    外部インターフェイス部
１７    イヤフォンジャック
１８    近地通信部
１９    スピーカ
２０    マイク
２１    バス
２２    操作部
３１    制御部
３２    近地通信部
３３    スピーカ
３４    マイク
３５    バス
３６    操作部
【図１】
2004312274.tif 000003
【図２】
2004312274.tif 000004
【図３】
2004312274.tif 000005